(57)【要約】【課題】ランフラット耐久性を向上しつつ車両の片流れを改善させる。【解決手段】カーカス６とベルト層７とサイド補強ゴム層１１とを具えるランフラットタイヤ１である。ベルト層７は、第１のベルトプライ７Ａと、該第１のベルトプライ７Ａのタイヤ半径方向外側に配される第２のベルトプライ７Ｂとを具えるとともに、第１、第２のベルトプライ７Ａ、７Ｂは、それぞれタイヤ軸方向で分割され、かつタイヤ赤道に対して互いに逆向きに傾けられたベルトコード２７，２８を有する２つのプライ片からなる。また、カーカス６は、アラミド繊維からなるカーカスコード２０をトッピングゴムで被覆したカーカスプライ６Ａからなる。【選択図】図１
2009154704.tif 000002
【特許請求の範囲】
【請求項１】
トレッド部からサイドウォール部をへてビード部のビードコアに至るカーカスと、トレッド部の内方かつ前記カーカスの半径方向外側に配されるベルト層と、前記サイドウォール部のカーカス内側に配された断面略三日月状のサイド補強ゴム層とを具えるランフラットタイヤであって、
前記ベルト層は、タイヤ半径方向内側に配される第１のベルトプライと、該第１のベルトプライのタイヤ半径方向外側に配される第２のベルトプライとを具えるとともに、
前記第１のベルトプライ及び第２のベルトプライは、それぞれタイヤ軸方向で分割されかつタイヤ赤道に対して互いに逆向きに傾けられたベルトコードを有する２つのプライ片からなり、
しかも、前記カーカスは、タイヤ赤道に対して４５〜９０°の角度で配列したアラミド繊維からなるカーカスコードをトッピングゴムで被覆したカーカスプライからなることを特徴とするランフラットタイヤ。
【請求項２】
前記アラミド繊維コードは、次式（１）で示す撚り係数Ｔが０．５０〜０．７０である請求項１記載のランフラットタイヤ。
Ｔ＝Ｎ×√｛（０．１２５×Ｄ／２）／ρ｝×１０−３      …（１）
（ただし、Ｎは上撚り数（回／１０cm）、Ｄはトータル表示デシテックス（繊度）、ρはコード材料の比重である。）
【請求項３】
前記第１のベルトプライのタイヤ軸方向の一方側のプライ片及び前記第２のベルトプライのタイヤ軸方向の他方側のプライ片は、同じ向きに傾けられたベルトコードを有し、かつ
前記第１のベルトプライのタイヤ軸方向の他方側のプライ片及び前記第２のベルトプライのタイヤ軸方向の一方側のプライ片は、前記第１のベルトプライの一方側のプライ片と逆向きに傾けられたベルトコードを有する請求項１又は２記載のランフラットタイヤ。
【請求項４】
前記第１のベルトプライ及び前記第２のベルトプライは、それぞれタイヤ赤道で分割されている請求項１乃至３のいずれかに記載のランフラットタイヤ。
【請求項５】
前記第１のベルトプライ及び第２のベルトプライそれぞれにおいて、２枚のプライ片は、タイヤ軸方向に離間して配され、前記第１のベルトプライは、タイヤ赤道よりもタイヤ軸方向の一方側にプライ片が離間した離間部を有するとともに、
前記第２のベルトプライは、タイヤ赤道よりもタイヤ軸方向の他方側に離間部を有する請求項１乃至３のいずれかに記載のランフラットタイヤ。
【請求項６】
前記第１のベルトプライの離間部と、前記第２のベルトプライの離間部とは、タイヤ赤道に関してタイヤ軸方向の対称位置に設けられる請求項５に記載のランフラットタイヤ。
【請求項７】
前記第１のベルトプライ及び第２のベルトプライの各離間部のタイヤ軸方向の長さは、正規リムにリム組みされかつ正規内圧が充填されしかも無負荷である正規状態におけるタイヤ回転軸を含むタイヤ子午線断面において、各ベルトプライのタイヤ軸方向の幅の０．１５倍以下である請求項５又は６に記載のランフラットタイヤ。
【請求項８】
タイヤ赤道から前記離間部までのタイヤ軸方向の距離は、第１のベルトプライの０．０５〜０．１５倍である請求項５乃至７の何れかに記載のランフラットタイヤ。
【請求項９】
正規リムにリム組みされかつ正規内圧が充填されしかも無負荷である正規状態におけるタイヤ回転軸を含むタイヤ子午線断面において、タイヤ外面のプロファイルは、タイヤ赤道面Ｃからタイヤ最大断面幅ＳＷの４５％の距離ＳＰを隔てるタイヤ外面上の点をＰとするとき、タイヤ外面の曲率半径ＲＣが、タイヤ赤道点ＣＰから前記点Ｐに至るまでの間で徐々に減少するとともに、
前記タイヤ赤道面Ｃから前記タイヤ最大断面幅ＳＷの半幅（ＳＷ／２）の６０％、７５％、９０％及び１００％の距離Ｘ60、Ｘ75、Ｘ90及びＸ100 を夫々隔てるタイヤ外面上の各点と、タイヤ赤道点ＣＰとの間の各半径方向距離をそれぞれＹ60、Ｙ75、Ｙ90及びＹ100 とし、かつタイヤ断面高さをＳＨとするとき、
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100 ／ＳＨ  ≦０．７
の関係を満足する請求項１乃至８の何れかに記載のランフラットタイヤ。
【発明の詳細な説明】
【技術分野】
【０００１】
本発明は、ランフラット耐久性を向上し得るとともに、車両の片流れを改善し得るランフラットタイヤに関する。
【背景技術】
【０００２】
例えば、パンク等によりタイヤ内の空気が抜けた状態においても比較的長距離を走行（以下、このような走行を、単に「ランフラット走行」と言う。）しうるランフラットタイヤとして、サイドウォール部に、断面略三日月状のサイド補強ゴム層が設けられたサイド補強タイプのものが知られている（例えば特許文献１など参照）。
【０００３】
【特許文献１】特開平２０００−３５１３０７号公報
【発明の開示】
【発明が解決しようとする課題】
【０００４】
しかしながら、近年では、ランフラット走行の高速化及び長距離化の要請が強く、ランフラット耐久性の更なる向上が求められている。
【０００５】
また、ランフラットタイヤと言えども、適正に内圧が充填された通常走行時の直進安定性が求められるのは言うまでもない。特に、ハンドルを手放して所定の距離を走行する間、車両が直進方向線に対して片側に横流れする車両片流れを抑制することは、直進安定性を高める上で重要な課題となる。
【０００６】
本発明は、以上のような実状に鑑み案出されたもので、耐熱性に優れかつ高弾性であるアラミド繊維をカーカスコードに使用するとともに、ベルト層の各ベルトプライを、タイヤ軸方向で分割され、かつタイヤ赤道に対して互いに逆向きに傾けられたベルトコードを有する２つのプライ片で構成することを基本として、ランフラット耐久性を向上しつつ車両の片流れを抑制して直進安定性を向上しうるランフラットタイヤを提供することを主たる目的としている。
【課題を解決するための手段】
【０００７】
本発明のうち請求項１記載の発明は、トレッド部からサイドウォール部をへてビード部のビードコアに至るカーカスと、トレッド部の内方かつ前記カーカスの半径方向外側に配されるベルト層と、前記サイドウォール部のカーカス内側に配された断面略三日月状のサイド補強ゴム層とを具えるランフラットタイヤであって、前記ベルト層は、タイヤ半径方向内側に配される第１のベルトプライと、該第１のベルトプライのタイヤ半径方向外側に配される第２のベルトプライとを具えるとともに、前記第１のベルトプライ及び第２のベルトプライは、それぞれタイヤ軸方向で分割されかつタイヤ赤道に対して互いに逆向きに傾けられたベルトコードを有する２つのプライ片からなり、しかも、前記カーカスは、タイヤ赤道に対して４５〜９０°の角度で配列したアラミド繊維からなるカーカスコードをトッピングゴムで被覆したカーカスプライからなることを特徴とする。
【０００８】
また請求項２記載の発明は、前記アラミド繊維コードは、次式（１）で示す撚り係数Ｔが０．５０〜０．７０である請求項１記載のランフラットタイヤである。
Ｔ＝Ｎ×√｛（０．１２５×Ｄ／２）／ρ｝×１０−３      …（１）
（ただし、Ｎは上撚り数（回／１０cm）、Ｄはトータル表示デシテックス（繊度）、ρはコード材料の比重である。）
【０００９】
また請求項３記載の発明は、前記第１のベルトプライのタイヤ軸方向の一方側のプライ片及び前記第２のベルトプライのタイヤ軸方向の他方側のプライ片は、同じ向きに傾けられたベルトコードを有し、かつ前記第１のベルトプライのタイヤ軸方向の他方側のプライ片及び前記第２のベルトプライのタイヤ軸方向の一方側のプライ片は、前記第１のベルトプライの一方側のプライ片と逆向きに傾けられたベルトコードを有する請求項１又は２記載のランフラットタイヤである。
【００１０】
また請求項４記載の発明は、前記第１のベルトプライ及び前記第２のベルトプライは、それぞれタイヤ赤道で分割されている請求項１乃至３のいずれかに記載のランフラットタイヤである。
【００１１】
また請求項５記載の発明は、前記第１のベルトプライ及び第２のベルトプライそれぞれにおいて、２枚のプライ片は、タイヤ軸方向に離間して配され、前記第１のベルトプライは、タイヤ赤道よりもタイヤ軸方向の一方側にプライ片が離間した離間部を有するとともに、前記第２のベルトプライは、タイヤ赤道よりもタイヤ軸方向の他方側に離間部を有する請求項１乃至３のいずれかに記載のランフラットタイヤである。
【００１２】
また請求項６記載の発明は、前記第１のベルトプライの離間部と、前記第２のベルトプライの離間部とは、タイヤ赤道に関してタイヤ軸方向の対称位置に設けられる請求項５に記載のランフラットタイヤである。
【００１３】
また請求項７記載の発明は、前記第１のベルトプライ及び第２のベルトプライの各離間部のタイヤ軸方向の長さは、正規リムにリム組みされかつ正規内圧が充填されしかも無負荷である正規状態におけるタイヤ回転軸を含むタイヤ子午線断面において、各ベルトプライのタイヤ軸方向の幅の０．１５倍以下である請求項５又は６に記載のランフラットタイヤである。
【００１４】
また請求項８記載の発明は、タイヤ赤道から前記離間部までのタイヤ軸方向の距離は、第１のベルトプライの０．０５〜０．１５倍である請求項５乃至７の何れかに記載のランフラットタイヤである。
【００１５】
また請求項９記載の発明は、正規リムにリム組みされかつ正規内圧が充填されしかも無負荷である正規状態におけるタイヤ回転軸を含むタイヤ子午線断面において、タイヤ外面のプロファイルは、タイヤ赤道面Ｃからタイヤ最大断面幅ＳＷの４５％の距離ＳＰを隔てるタイヤ外面上の点をＰとするとき、タイヤ外面の曲率半径ＲＣが、タイヤ赤道点ＣＰから前記点Ｐに至るまでの間で徐々に減少するとともに、前記タイヤ赤道面Ｃから前記タイヤ最大断面幅ＳＷの半幅（ＳＷ／２）の６０％、７５％、９０％及び１００％の距離Ｘ60、Ｘ75、Ｘ90及びＸ100 を夫々隔てるタイヤ外面上の各点と、タイヤ赤道点ＣＰとの間の各半径方向距離をそれぞれＹ60、Ｙ75、Ｙ90及びＹ100 とし、かつタイヤ断面高さをＳＨとするとき、
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100 ／ＳＨ  ≦０．７
の関係を満足する請求項１乃至８の何れかに記載のランフラットタイヤである。
【００１６】
なお前記正規リムとは、タイヤが基づいている規格を含む規格体系において、当該規格がタイヤ毎に定めるリムであり、例えばＪＡＴＭＡであれば"標準リム"、ＴＲＡであれば "Design Rim" 、或いはＥＴＲＴＯであれば "Measuring Rim"を意味する。また前記「正規内圧」とは、前記規格がタイヤ毎に定めている空気圧であり、ＪＡＴＭＡであれば"最高空気圧"、ＴＲＡであれば表 "TIRE LOAD LIMITS AT VARIOUS COLD INFLATION PRESSURES" に記載の最大値、ＥＴＲＴＯであれば "INFLATION PRESSURE" を意味するが、乗用車用タイヤの場合には１８０ｋＰａとする。
【発明の効果】
【００１７】
本発明のランフラットタイヤは、アラミド繊維からなるカーカスコードを、トッピングゴムで被覆したカーカスプライからなる。これにより、タイヤの剛性と荷重支持能力とが高められる。また、アラミド繊維コードは、耐熱性に優れるので、ランフラット走行時の温度上昇によるコード損傷についても抑制できる。これらの相乗作用により、本発明のランフラットタイヤは、実質的な質量増加なしに耐久性が向上する。
【００１８】
また、車両の片流れを抑制するためには、セルフアライニングトルクが０のときにタイヤに発生する横力である残余コーナリングフォース（以下、「残余ＣＦ」と表示することがある）を低減することが有効である。本発明では、ベルト層のタイヤ半径方向内、外に配される第１及び第２のベルトプライは、それぞれタイヤ軸方向で分割されかつタイヤ赤道に対して互いに逆向きに傾けられたベルトコードを有する２つのプライ片からなる。このようなプライ片は、ベルトコードの傾斜に起因して生じる残余ＣＦを互いに相殺させることができるので、車両片流れを効果的に抑制し、直進安定性を高めうる。
【発明を実施するための最良の形態】
【００１９】
以下、本発明の実施の一形態が図面に基づき説明される。
図１は、本実施形態のランフラットタイヤ１の正規状態におけるタイヤ子午断面図である。本実施形態のランフラットタイヤ１は、トレッド部２からサイドウォール部３をへてビード部４のビードコア５に至るカーカス６と、トレッド部２の内方かつ前記カーカス６の半径方向外側に配されるベルト層７と、ベルト層の半径方向外側に重ねられたバンド１０とを具える。
【００２０】
前記カーカス６は、タイヤ赤道に対して４５〜９０°の角度で配列されるカーカスコードをトッピングゴムにより被覆した１枚以上のカーカスプライから形成される。本実施形態のカーカス６は、カーカスコードがタイヤ赤道に対して８０〜９０°の角度で配列された１枚のカーカスプライ６Ａから構成されている。また、カーカスプライ６Ａは、前記ビードコア５、５間を跨るトロイド状の本体部６ａと、前記ビードコア５の周りをタイヤ軸方向内側から外側に折り返された一対の折返し部６ｂとを具える。
【００２１】
前記本体部６ａと折返し部６ｂとの間には、例えばゴム硬度が６５〜９８度の硬質のゴムからなり、前記ビードコア５から半径方向外側に先細状にのびるビード補強用のビードエーペックスゴム８が配される。なお、本明細書においては、「ゴム硬度」は、ＪＩＳ−Ｋ６２５３に準拠し、温度２３℃で測定されたデュロメータータイプＡによる硬さを意味する。このビードエーペックスゴム８のビードベースラインＢＬからのタイヤ半径方向の高さｈａは、特に限定はされないが、小さすぎるとランフラット耐久性が低下するおそれがあり、逆に大きすぎるとタイヤ質量の過度の増加や乗り心地の悪化を招くおそれがある。このような観点より、ビードエーペックスゴム８の前記高さｈａは、タイヤ断面高さＳＨの１０〜６０％、より好ましくは２０〜５０％が望ましい。
【００２２】
本実施形態では、カーカスプライ６Ａの折返し部６ｂが、ビードエーペックスゴム８を半径方向外側に超えて巻き上がり、その外端部６ｂｅが、本体部６ａとベルト層７との間に挟まれて終端するいわゆる超ハイターンアップ構造を具える。これにより、１枚のカーカスプライ６Ａを用いて、サイドウォール部３が効果的に補強される。また折返し部６ｂの外端部６ｂｅが、ランフラット走行時に大きく撓むサイドウォール部３から遠ざかるため、該外端部６ｂｅを起点とした損傷が好適に抑制される。このような観点より、折返し部６ｂとベルト層７との重なり部のタイヤ軸方向幅ＥＷは、好ましくは５mm以上、さらには１０mm以上が好ましい一方、軽量化の観点より、好ましくは４０mm以下、さらには３０mm以下が好ましい。なお前記カーカス６が複数枚のカーカスプライから形成される場合、少なくとも１枚のカーカスプライがこのようなハイターンナップ構造を有するのが好ましい。
【００２３】
前記バンド１０は、タイヤ赤道に対して５°以下の角度で螺旋状に巻回されるバンドコードをトッピングゴムにて被覆した１枚以上のバンドプライからなり、前記ベルト層７を拘束し、操縦安定性及び高速耐久性等を向上させる。前記バンドプライとしては、ベルト層７のタイヤ軸方向外端部のみを被覆する左右一対のエッジバンドプライ、及びベルト層７の略全幅を覆うフルバンドプライがあり、これらを単独で又は組み合わせて使用される。本実施形態のバンド１０は、１枚のフルバンドプライからなる。
【００２４】
また前記サイドウォール部３には、ランフラット性能を発揮させるためのサイド補強ゴム層１１が配される。このサイド補強ゴム層１１は、最大厚さを有する中央部分１１ａから、タイヤ半径方向内端１１ｉ及び外端１１ｏに向かってそれぞれ厚さを徐々に減じてのびる断面略三日月状をなす。前記内端１１ｉは、ビードエーペックスゴム８の外端よりもタイヤ半径方向内側に位置し、前記外端１１ｏは、ベルト層７の外端７ｅよりもタイヤ軸方向内側に位置する。とりわけ、サイド補強ゴム層１１とビードエーペックスゴム８とのタイヤ半径方向の重なり幅Ｗｉは好ましくは５〜５０mm、かつ、サイド補強ゴム層１１とベルト層７とのタイヤ軸方向の重なり幅Ｗｏは、好ましくは０〜５０mmが好ましい。これらにより、前記外端１１ｏ及び内端１１ｉでの剛性段差の発生を抑えることができる。
【００２５】
前記サイド補強ゴム層１１は、本実施形態では、カーカス６の本体部６ａの内側（タイヤ内腔側）に配される。そのため、サイドウォール部３の曲げ変形時には、サイド補強ゴム層１１には主として圧縮応力が、またコード材を有するカーカスプライ６Ａには主として引張応力が作用する。ゴムは圧縮に強く、かつコード材は引張に強いため、上記のようなサイド補強ゴム層１１の配設構造は、サイドウォール部３の曲げ剛性を効率良く高め、ランフラット走行時のタイヤの縦撓みを効果的に低減しうる。
【００２６】
前記サイド補強ゴム層１１の複素弾性率Ｅ＊は、好ましくは５ＭＰａ以上、さらに好ましくは７ＭＰａ以上が望ましい。前記複素弾性率Ｅ＊が５ＭＰａ未満であると、ランフラット走行時の圧縮歪が大きくなって、ランフラット性能が低下するおそれがある。逆に、前記複素弾性率Ｅ＊が高すぎても、タイヤの縦バネ定数が過度に上昇して乗り心地を悪化させる。このような観点より、前記サイド補強ゴム層１１の複素弾性率Ｅ＊は、好ましくは４０ＭＰａ以下、さらに好ましくは３０ＭＰａ以下が望ましい。またサイド補強ゴム層１１の最大厚さｔは、タイヤサイズや、タイヤのカテゴリ等によって適宜設定されるが、乗用車用タイヤの場合５〜２０mmが好適である。
【００２７】
また、本実施形態のビード部４には、リムプロテクトリブ１２が凸設される。このリムプロテクトリブ１２は、図２に示されるように、リムフランジＪＦを覆うようにタイヤの基準輪郭線ｊから突出してタイヤ周方向に連続してのびるリブ体であり、前記リムフランジＪＦの先端を越えてタイヤ軸方向外側に最も突出する突出面部１２ｃと、この突出面部１２ｃからビード外側面に滑らかに連なる半径方向内側の斜面部１２ｉと、前記突出面部１２ｃからタイヤ最大幅点Ｍ近傍位置で前記基準輪郭線ｊに滑らかに連なる半径方向外側の斜面部１２ｏとで囲まれる断面略台形状をなす。なお前記内側の斜面部１２ｉは、リムフランジＪＦの円弧部の外面よりも大きい曲率半径ｒで形成された凹円弧面で形成され、通常走行時においては、縁石等からリムフランジＪＦを保護する。またランフラット走行時には、内側の斜面部１２ｉがリムフランジＪＦの円弧部に寄りかかって接触するため、ビード変形量を軽減でき、ランフラット時の操縦安定性及びランフラット耐久性の向上に役立つ。
【００２８】
また、本発明では、ランフラット走行時の操縦安定性及び耐久性を向上するために、前記カーカスコード２０にアラミド繊維が採用される。
【００２９】
前記アラミド繊維は、高弾性を有する。このため、ランフラットタイヤ１のカーカスコードに使用することにより、タイヤの荷重支持能力を高めることができる。従って、例えばカーカスプライ枚数の低減、カーカスコードの細径化及び／又はコード配列密度（コードエンド数）の低下などによるタイヤの軽量化を図りながら、ランフラット時のタイヤ変形量を低減できる。
【００３０】
しかも、アラミド繊維は、他の有機繊維コード材料に比べて、１００〜１５０℃の高温下においても弾性率の低下が小さく、耐熱性に優れる。従って、ランフラット走行時のタイヤ温度上昇によっても、カーカスコードの強度低下、弾性率の低下によるタイヤ変形量の増加及びそれに伴うさらなるタイヤ温度上昇などを防止でき、その結果、ランフラット耐久性を確実に向上できる。さらにタイヤ温度上昇によっても、高弾性率を維持してタイヤ剛性を高めうるため、ランフラット時の操縦安定性を向上することもできる。これによりランフラット走行における高速化及び長距離化が達成される。
【００３１】
なお、アラミド繊維は、弾性率が高いゆえに耐疲労性に劣る傾向がある。そのため本実施形態では、カーカスコード２０に、図３に略示するように、下撚りしたアラミド繊維のフィラメント束２１（即ちストランド２１）の２本を、さらに上撚りにて互いに撚り合わせた２本撚り構造が採用されるとともに、このときの撚り合わせを、従来よりも高い撚り係数Ｔで行うことが望ましい。
【００３２】
ここで、前記「撚り係数Ｔ」は、コードの上撚り数をＮ（単位：回／１０cm）、コード１本のトータル表示デシテックス（トータル繊度）をＤ（単位：dtex）、コード材料の比重をρとしたとき、次式（１）で示される。
Ｔ＝Ｎ×√｛（０．１２５×Ｄ／２）／ρ｝×１０−３      …（１）
【００３３】
そして、この撚り係数Ｔを０．５０〜０．７０の範囲まで高めることにより、アラミド繊維コードの欠点である耐疲労性を改善することができ、例えばレーヨンコードを用いた場合に比して、ランフラット耐久性を大幅に向上することが可能となる。なお前記カーカスコード２０の撚り係数Ｔが０．５０を下回ると、耐疲労性の向上効果が少なく、ひいてはランフラット耐久性を十分に高めることができない。逆に、撚り係数Ｔが０．７０を上回ると、コードの撚り加工が難しくなり生産性に不利となる。とりわけ、撚り係数Ｔは、０．６０以上が好ましく、これによりコードの耐疲労性がさらに改善され、ランフラット耐久性が向上される。
【００３４】
また、本実施形態において、カーカスコード２０には、アラミド繊維の重要な特性である高弾性を活かして優れた補強効果を発揮させるために、２本撚り構造が採用されている。そのとき、下撚り数と、上撚り数とが等しい所謂バランス撚りが好ましいが、撚り数の比（下撚り数／上撚り数）が０．２〜２．０の範囲内、好ましくは０．５〜１．５の範囲内で、下撚り数と上撚り数とを相違させても良い。
【００３５】
また前記トータル表示デシテックスＤ（繊度）は、特に限定されるものではないが、ランフラットタイヤの場合、１５００〜５０００dtexの範囲が好ましい。またカーカスプライ６Ａにおけるコードエンド数ｎ（本／５cm）と前記トータル表示デシテックスＤとの積は、７００００〜１５００００の範囲が好ましく、７００００未満では、アラミド繊維コードとはいえ、ランフラット耐久性や操縦安定性が不十分となり、逆に１５００００を越えると、カーカス剛性が過大となって乗り心地を損ねるとともに、質量やコストの不必要な増加を招く。このような観点より、前記積（Ｄ×ｎ）は、より好ましくは１０００００以上であり、かつ、１２００００以下がさらに好ましい。
【００３６】
また耐疲労性に原因するカーカスコード２０の損傷は、タイヤ変形時に圧縮歪を受ける部位、即ち図２に示すように、折返し部６ｂのうちのビード側部分６ｂ１にて発生しやすい。しかしながら、本実施形態では、前述の如くビード部４にリムプロテクトリブ１２を凸設しているいため、ランフラット走行時におけるビード変形が軽減され、カーカスコード２０に圧縮歪が作用しにくくなる。その結果、アラミド繊維を採用した場合のカーカスコード２０の疲労損傷をさらに抑えることができ、ランフラット耐久性の一層の向上が図れる。
【００３７】
さらに、本実施形態では、前記カーカスプライ６Ａのトッピングゴムとして、複素弾性率Ｅ*が、５〜１３ＭＰａの範囲と、従来のカーカストッピングゴムに比して高弾性のゴムを採用している。なお従来のカーカストッピングゴムの複素弾性率Ｅ*は３．８ＭＰａ程度である。このように高弾性のゴムをトッピングゴムに採用することで、タイヤ変形時、カーカスコード２０に掛かる歪みを低減でき、ランフラット耐久性のさらなる向上を達成しうる。なお複素弾性率Ｅ*が５ＭＰａを下回ると前記効果が期待できず、逆に１３ＭＰａを上回ると、ゴムが硬くなり過ぎ、乗り心地が一気に悪化してしまう。このような観点から、複素弾性率Ｅ*は、好ましくは５．５ＭＰａ以上、さらに好ましくは６ＭＰａ以上が好ましく、また好ましくは１１ＭＰａ以下、さらに好ましくは９ＭＰａ以下が好ましい。
【００３８】
なお、本明細書において、前記複素弾性率は、ＪＩＳ−Ｋ６３９４の規定に準じ、次に示される条件で（株）岩本製作所製の粘弾性スペクトロメータを用いて測定された値である。
初期歪：１０％
振幅：±１％
周波数：１０Ｈｚ
変形モード：引張
測定温度：７０℃
【００３９】
また、図４に展開して示されるように、前記ベルト層７は、タイヤ半径方向内側に配される第１のベルトプライ７Ａと、該第１のベルトプライ７Ａのタイヤ半径方向外側に配される第２のベルトプライ７Ｂとから構成される。そして、第１及び第２のベルトプライ７Ａ、７Ｂは、それぞれタイヤ軸方向で分割されかつタイヤ赤道に対して互いに逆向きに傾けられたベルトコード２７、２８を有する２つのプライ片によって形成される。
【００４０】
本実施形態において、第１のベルトプライ７Ａは、タイヤ軸方向の一方側Ｓ１に配された一方側の第１プライ片２５Ａと、タイヤ軸方向の他方側Ｓ２に配された他方側の第１プライ片２５Ｂとによって形成される。これらのプライ片２５Ａ及び２５Ｂは、タイヤ赤道上でその側縁が実質的に突き合わされるように配置されている。また、一方側の第１プライ片２５Ａのタイヤ軸方向の幅Ｗａ１は、他方側の第１プライ片２５Ｂのタイヤ軸方向の幅Ｗａ２と実質的に等しく形成される。
【００４１】
また、第２のベルトプライ７Ｂも、タイヤ軸方向の一方側Ｓ１に配された一方側の第２プライ片２６Ａと、タイヤ軸方向の他方側Ｓ２に配された他方側の第２プライ片２６Ｂとによって形成される。これらのプライ片２６Ａ及び２６Ｂは、タイヤ赤道上でその側縁が実質的に突き合わされるように配置されている。また、一方側の第２プライ片２６Ａのタイヤ軸方向の幅Ｗｂ１は、他方側の第２プライ片２６Ｂのタイヤ軸方向の幅Ｗｂ２と実質的に等しく形成される。
【００４２】
なお、各第２のプライ片２６Ａ及び２６Ｂの幅Ｗｂ１（＝Ｗｂ２）は、前記各第１のプライ片２５Ａ及び２５Ｂの幅Ｗａ１（＝Ｗａ２）よりも小さく形成されている。これにより、第１のベルトプライ７Ａの外縁７Ａｅ（これは、ベルト層７の外端７ｅをも構成する。）と、第２のベルトプライ７Ｂの外縁７Ｂｅとが重なることによる大きな剛性段差が形成されるのを防止できる。なお、前記外縁７Ａｅ及び７Ｂｅは、いずれもタイヤ赤道に関して実質的に対称位置に設けられている。
【００４３】
前記一方側の第１プライ片２５Ａ及び他方側の第２プライ片２６Ｂは、同じ向き（本実施形態では右上がり）に傾けて配列されたベルトコード２７を具える。また、他方側の第１プライ片２５Ｂ及び一方側の第２プライ片２６Ａは、それぞれ同じ向きかつ前記一方側の第１プライ片２５Ａと逆向き（本実施形態では左上がり）に傾けられたベルトコード２８を具えている。前記各ベルトコード２７及び２８は、本実施形態ではともに同一のスチールコードが採用されるが、必要に応じてレーヨン又は芳香族ポリアミド等の高弾性の有機繊維コードを採用することもできる。
【００４４】
さらに、本実施形態では、前記ベルトコード２７のタイヤ赤道に対する角度α１が、前記ベルトコード２８のタイヤ赤道に対する角度α２と実質的に等しく構成されるとともに、各ベルトコード２７、２８の打ち込み本数も実質的に同一である。なお、前記ベルトコードの角度α１及びα２は、好ましく１０〜４５度、より好ましくは１０〜３５度の範囲で設定されるのが望ましい。なお、前記角度α１及びα２は、本実施形態では同一であるが、必要に応じて異ならせても良い。
【００４５】
このような第１及び第２のベルトプライ７Ａ、７Ｂからなるベルト層７は、タイヤ赤道に関して左右対称にベルトコード２７及び２８が配列される。特に、最も外側に配された第２のベルトプライ７Ｂのベルトコードが左右対称に配列されるため、各プライ片のベルトコードに起因して生じる残余ＣＦを互いに相殺させ、片流れを効果的に抑制して直進安定性を高めうる。なお、一方側の第１プライ片２５Ａ及び一方側の第２プライ片２６Ａはベルトコード２７、２８が互いに交差するように重なるとともに、他方側の第２プライ片２５Ｂ及び他方側の第２プライ片２６Ｂも、ベルトコード２７、２８が互いに交差するように重ねられる。これにより、ベルト層７の剛性を維持し、耐摩耗性や操縦安定性の悪化を防止できる。
【００４６】
また、本実施形態のベルト層７は、第１及び第２のベルトプライ７Ａ、７Ｂがいずれもタイヤ軸方向で分割されている。換言すれば、ベルトコードは、各ベルトプライ７Ａ、７Ｂにおいて、一方の側縁から他方の側縁まで連続してのびていないので、一般的なベルト層に比べて剛性が小さくなる。これは、縦バネが大きい傾向があるランフラットタイヤ１において、トレッド部２の剛性を適度に緩和して衝撃吸収能力を高め、乗り心地の著しい悪化を防止するのに役立つ。また、前述の通り、カーカスコード２０には、高弾性のアラミド繊維コードが用いられるため、トレッド部２に必要な剛性を損ねることもない。
【００４７】
また、上記実施形態では、第１及び第２のベルトプライ７Ａ、７Ｂは、いずれもタイヤ赤道にプライの分割位置ｅ１、ｅ２を有するものを示したが、例えば図５に示されるように、この分割位置を変更しても良いのは言うまでもない。例えば、図５（ａ）の態様では、第１のベルトプライ７Ａの分割位置ｅ１と、第２のベルトプライ７Ｂの分割位置ｅ２とは、タイヤ赤道とは異なる同一の位置に設けられる。このようなベルト層７では、一定の方向に残余ＣＦを小さく生じさせることによって、直進走行時のふらつきを防止するのに効果がある。また、第１のベルトプライ７Ａと第２のベルトプライ７Ｂとの重なり部分において、全てのベルトコードをタイヤ半径方向内外で互いに交差させることができ、図４の実施形態と同様に、ベルト層７の剛性低下を効果的に防止し、耐摩耗性や操縦安定性の向上に役立つ。
【００４８】
また、図５（ｂ）の態様では、第１のベルトプライ７Ａの分割位置ｅ１と、第２のベルトプライ７Ｂの分割位置ｅ２とは、タイヤ赤道を除いた互いに異なる位置に設けられる。この実施形態では、第１のベルトプライ７Ａの分割位置ｅ１は、タイヤ赤道の他方側Ｓ２に設けられる一方、第２のベルトプライ７Ｂの分割位置ｅ２は、タイヤ赤道の一方側Ｓ１に設けられる。このため、分割位置ｅ１、ｅ２間には、ベルトコードが一方向にのみ傾斜する領域Ｚが形成される。また、この実施形態では、分割位置ｅ１と分割位置ｅ２とは、タイヤ赤道に関してタイヤ軸方向の対称位置に設けられる。このようなベルト層７も、前記領域Ｚによってふらつきを抑制する他、トレッド部２のクラウン部の剛性が緩和されるため、乗り心地を向上させる点で望ましい。
【００４９】
また、図５に示される各実施形態において、車両の片流れを効果的に抑制するためには、例えば、第１のベルトプライ７Ａにおいて、一方側の第１プライ片２５Ａの幅Ｗａ１と、他方側の第１プライ片２５Ｂの幅Ｗａ２との比Ｗａ１：Ｗａ２は、好ましくは２０：８０〜８０：２０、より好ましくは３０：７０〜７０：３０、さらに好ましくは４０：６０〜６０：４０の範囲で適宜定めることが望ましい。なお、第２のベルトプライ７Ｂのプライ片ついても同様の幅の比率が適用されるのが望ましい。
【００５０】
また、図６及び図７には、本発明の他の実施形態のランフラットタイヤのトレッド部２の部分拡大断面図及びそのベルト層７の展開図を示す。この実施形態では、第１のベルトプライ７Ａ及び第２のベルトプライ７Ｂにおいて、それぞれのプライ片が、タイヤ軸方向に離間して配される。即ち、本実施形態では、第１のベルトプライ７Ａは、タイヤ赤道の一方側Ｓ１に、一方側の第１プライ片２５Ａと、他方側の第１プライ片２５Ｂとが離間した第１離間部３０Ａが形成される。他方、第２のベルトプライ７Ｂは、タイヤ赤道の他方側Ｓ２に、一方側の第２プライ片２６Ａと、他方側の第２プライ片２６Ｂとが離間した第２離間部３０Ｂが形成される。なお、第１、第２離間部３０Ａ、３０Ｂの位置については、このような実施形態に限定されるわけではなく、例えば、第１離間部３０Ａが、タイヤ赤道の他方側Ｓ２に、かつ、第２離間部３０Ｂが、タイヤ赤道の一方側Ｓ１にそれぞれ形成されてもよい。
【００５１】
このようなベルト層７は、前記実施形態と同様、第１、第２のベルトプライ７Ａ、７Ｂが、それぞれ互いに逆向きに傾けられたベルトコード２７、２８を有する２つのプライ片からなるため、ベルトコードの傾斜に起因した残余ＣＦを相殺させ、車両の片流れを低減し得る。また、ベルト層７は、第１、第２離間部３０Ａ及び３０Ｂによって、従来のベルト層に比べてプライ量を削減しうる結果、タイヤを軽量化し得る。また、第１離間部３０Ａ及び第２離間部３０Ｂは、ベルトコードを有しないため、その部分のベルト層７の剛性を緩和でき、ひいては乗り心地をさらに高めるのに役立つ。また、前述の通り、カーカスコード２０には、高弾性のアラミド繊維コードが用いられているため、これらの作用をランフラット性能を低下させることなく実現できる。
【００５２】
ここで、第１離間部３０Ａ及び第２離間部３０Ｂのタイヤ軸方向の幅Ｒｗ１及びＲｗ２は、特に限定されるものではないが、小さすぎると十分な軽量化が図れないおそれがあり、逆に、大きすぎるとベルト層７の剛性が極度に低下するとともに、ランフラット走行時にショルダー部のリフティングが大きくなり、ひいてはランフラット耐久性を低下させるおそれがある。このような観点より、第１離間部３０Ａのタイヤ軸方向の幅Ｒｗ１は、第１のベルトプライ７Ａの幅（外縁７Ａｅ、７Ａｅ間のタイヤ軸方向距離）Ｂｗ１の好ましくは０．０５倍以上、より好ましくは０．１倍以上が望ましく、また、好ましくは０．１５倍以下が望ましい。同様に、前記第２離間部３０Ｂのタイヤ軸方向の幅Ｒｗ２は、第２のベルトプライ７Ｂの幅（外縁７Ｂｅ、７Ｂｅ間のタイヤ軸方向距離）Ｂｗ２の好ましくは０．０５倍以上、より好ましくは０．１倍以上が望ましく、また、好ましくは０．１５倍以下が望ましい。
【００５３】
とりわけ、ベルト層７の構造対称性を極力確保して片流れを防止するために、第１離間部３０Ａの幅Ｒｗ１と第２離間部３０Ｂの幅Ｒｗ２とは、上記の範囲内で実質的に同一、即ちＲｗ１＝Ｒｗ２に設定されるとともに、タイヤ赤道に関してタイヤ軸方向の対称位置に設けられるのが望ましい。このような実施形態では、タイヤ赤道から第１離間部３０Ａまでのタイヤ軸方向の距離（即ち、第１のベルトプライ７Ａにおける他方側の第１プライ片２５Ｂの内縁２５Ｂｅとタイヤ赤道との間のタイヤ軸方向距離）Ｑｗ１は、タイヤ赤道から第２離間部３０Ｂまでのタイヤ軸方向の距離（即ち、第２のベルトプライ７Ｂにおける一方側の第２プライ片２６Ａの内縁２６Ａｅとタイヤ赤道との間のタイヤ軸方向距離）Ｑｗ２と等しく設定される。
【００５４】
なお、前記距離Ｑｗ１及びＱｗ２は、適宜定めることができるが、該距離Ｑｗ１及びＱｗ２が大きくなると、第１及び第２離間部３０Ａ及び３０Ｂがショルダー部側に寄るため、ランフラット走行時におけるリフティング抑制効果が低下しやすい。逆に、前記距離Ｑｗ１及びＱｗ２が小さくなると、第１離間部３０Ａと第２離間部３０Ｂとが接近し、クラウン部の剛性が過度に低下するおそれがある。このような観点より、前記距離Ｑｗ１及びＱｗ２は、好ましくは、第１のベルトプライ７Ａの幅Ｂｗ１の０．０１倍以上、より好ましくは０．０５倍以上が望ましく、また、好ましくは０．１３倍以下、より好ましくは０．１０倍以下が望ましい。
【００５５】
さらに、本実施形態のランフラットタイヤ１は、前記正規状態のタイヤ子午断面において、タイヤ外面２Ａのプロファイルは、曲率半径が異なる複数の円弧からなる曲面によって形成されている。図８に示されるように、本実施形態のプロファイルは、タイヤ外面２Ａとタイヤ赤道面Ｃとの交点であるタイヤ赤道点ＣＰから、接地端側に向かって曲率半径ＲＣが漸減する複数の円弧からなる曲面によってを形成される。このようなプロファイルは、サイドウォール部３の長さを減じうるため、サイド補強ゴム層１１のゴムボリュームをさらに小さくでき、タイヤの軽量化、及び乗り心地性の向上を図ることができる。
【００５６】
詳しく説明すると、タイヤ赤道面Ｃから前記タイヤ最大断面幅ＳＷの４５％の距離ＳＰを隔てるタイヤ外面２Ａ上の点をＰとするとき、タイヤ外面２Ａの曲率半径ＲＣは、前記タイヤ赤道点ＣＰから前記点Ｐに至るまでの間で徐々に減少するように設定される。なお前記「タイヤ最大断面幅ＳＷ」とは、タイヤ外面２Ａの基準輪郭線ｊにおける最大幅であり、この基準輪郭線ｊは、タイヤ外面２Ａに局部的に形成される例えば文字、図形、記号等を示す装飾用、情報用等の微細なリブや溝、リム外れ防止用のリムプロテクトリブ１２、カット傷防止用のサイドプロテクトリブなどの局部的凹凸部を除外した滑らかな輪郭線を意味する。
【００５７】
また前記タイヤ赤道面Ｃからタイヤ最大断面幅ＳＷの半幅（ＳＷ／２）の６０％、７５％、９０％及び１００％の距離Ｘ60、Ｘ75、Ｘ90及びＸ100 を夫々隔てる各タイヤ外面２Ａ上の点をＰ60、Ｐ75、Ｐ90及びＰ100 とする。またこの各タイヤ外面２Ａ上の点Ｐ60、Ｐ75、Ｐ90及びＰ100 と、前記タイヤ赤道点ＣＰとの間の半径方向の距離をＹ60、Ｙ75、Ｙ90及びＹ100 とする。
【００５８】
そして、前記正規状態においてビードベースラインＢＬから前記タイヤ赤道点ＣＰまでの半径方向高さであるタイヤ断面高さをＳＨとするとき、前記半径方向距離Ｙ60、Ｙ75、Ｙ90及びＹ100 は、それぞれ以下の関係を満足することを特徴としている。
０．０５＜  Ｙ60  ／ＳＨ  ≦０．１
０．１＜  Ｙ75  ／ＳＨ  ≦０．２
０．２＜  Ｙ90  ／ＳＨ  ≦０．４
０．４＜  Ｙ100 ／ＳＨ  ≦０．７
ここで、ＲＹ60＝Ｙ60／ＳＨ
ＲＹ75＝Ｙ75／ＳＨ
ＲＹ90＝Ｙ90／ＳＨ
ＲＹ100 ＝Ｙ100 ／ＳＨ
として前記関係を満足する範囲ＲＹｉを図９に例示する。図８及び図９のように、前記関係を満足するプロファイルは、トレッドが非常に丸くなるため、フットプリントが、接地幅が小かつ接地長さを大とした縦長楕円形状となり、騒音性能とハイドロプレーニング性能とを向上しうる（例えば、特許第２９９４９８９号公報参照）。なお前記ＲＹ60、ＲＹ75、ＲＹ90及びＲＹ100 の値が、各下限値を下回ると、トレッド部２を中心としてタイヤ外面２Ａが平坦化するため、従来タイヤとのプロファイルの差が少なくなる。逆に各上限値を上回ると、トレッド部２を中心としてタイヤ外面２Ａが著しく凸状をなすため、接地幅が過小となり、通常走行において必要な走行性能を維持することができなくなる。
【００５９】
なおタイヤでは、予めタイヤサイズを定めることにより、ＪＡＴＭＡ、ＥＴＲＴＯなどのタイヤの規格から、タイヤ偏平率、タイヤ最大断面幅、タイヤ最大高さなどを概ね定め得るため、前記ＲＹ60、ＲＹ75、ＲＹ90及びＲＹ100 の範囲を容易に算出できる。従って、前記タイヤ外面２Ａは、前記各位置におけるＲＹ60、ＲＹ75、ＲＹ90及びＲＹ100 の範囲を満たすように、かつ曲率半径ＲＣが徐々に減少するように、前記タイヤ赤道点ＣＰから前記点Ｐまで滑らかな曲線で描くことにより適宜定めうる。
【００６０】
また、ランフラットタイヤは、図１０に示されるように、前記正規状態のタイヤに正規荷重の８０％の荷重を負荷した状態において、前記タイヤ外面２Ａが接地するタイヤ軸方向最外端間のタイヤ軸方向距離である接地幅ＣＷを、前記タイヤ最大断面幅ＳＷの５０％〜６５％の範囲とするのが好ましい。これは、前記接地幅ＣＷが、前記タイヤ最大断面幅ＳＷの５０％未満の場合、通常走行において轍でふらつきやすくなるなどワンダリング性能が低下し、かつ接地圧の不均一化により偏摩耗しやすくなるからである。なお前記接地幅ＣＷが、タイヤ最大断面幅ＳＷの６５％を超える場合には、接地幅が過大となって前述の通過騒音とハイドロプレーニング性能との両立が難しくなる。
【００６１】
なお、前記「正規荷重」とは、タイヤが基づいている規格を含む規格体系において、各規格がタイヤ毎に定めている荷重であり、ＪＡＴＭＡであれば"最大負荷能力"、ＴＲＡであれば表 "TIRE LOAD LIMITS AT VARIOUS COLD INFLATION PRESSURES" に記載の最大値、ＥＴＲＴＯであれば "LOAD CAPACITY" であるが、タイヤが乗用車用の場合には前記荷重の８８％に相当する荷重とする。
【００６２】
また、このようなプロファイルは、サイドウォール部の領域が短いという特徴を有するため、ランフラットタイヤに採用することにより、サイド補強ゴム層１１のゴムボリュームを低減し、ランフラットタイヤにおける質量の軽減と乗り心地の向上とを達成しうる。しかし、ゴムボリュームが大なトレッド部２での変形量が通常プロファイルのタイヤに比して大きくなる。そのため耐熱性を高めたアラミド繊維のカーカスコードは、このプロファイルのタイヤにとってもより有利となりうる。
【００６３】
以上、本発明の特に好ましい実施形態について詳述したが、本発明は図示の実施形態に限定されることなく、種々の態様に変形して実施しうる。
【実施例】
【００６４】
図１に示す構造をなすタイヤサイズ２４５／４０Ｒ１８のランフラットタイヤを表１の仕様で試作するとともに、それらについて各種の性能等が評価された。各タイヤは、表１に記載のパラメータ以外は、以下のように同一の仕様とした。
カーカス：プライ枚数１、コード角度９０度（対タイヤ赤道）
レーヨン繊維コードの比重：１．５１
アラミド繊維コードの比重：１．４４
ベルト層の構造
Ｂ１：図４の構造をなす２枚のベルトプライ
Ｂ２：図７の構造をなすベルトプライ２枚
Ｂ３：２つに分割されていない２枚のベルトプライ（標準品）
第１のベルトプライのタイヤ軸方向の幅：２０８mm
第２のベルトプライのタイヤ軸方向の幅：１９４mm
ベルトコードのコード構造：１×４（フィラメント径０．２７mm）
ベルトコード角度：±２４°
サイド補強ゴム層：複素弾性率Ｅ＊：１２ＭＰａ、最大厚さ９mm
タイヤ外面のプロファイル
Ｆ１：ＲＹ60＝０．０９、ＲＹ75＝０．１４、ＲＹ90＝０．３７、ＲＹ100＝０．５７
Ｆ２：ＲＹ60＝０．０６、ＲＹ75＝０．０８、ＲＹ90＝０．１９、ＲＹ100＝０．５７
なお、実施例１３、１４は、図７の構造を基本としているが、実施例１３は、距離Ｑｗ１の値がマイナス、即ち、他方側の第１プライ片２５Ｂの内縁２５Ｂｅがタイヤ赤道Ｃを越えていない態様であり、また、実施例１４は、距離Ｑｗ１及び距離Ｑｗ２の値がマイナス、即ち他方側の第１プライ片２５Ｂの内縁２５Ｂｅ及び一方側の第２プライ片２６Ａの内縁２６Ａｅが共にタイヤ赤道Ｃを越えていない態様である。
また、テスト方法は、次の通りである。
【００６５】
＜ランフラット耐久性＞
各供試タイヤを、バルブコアを取り去った１８×８．５Ｊのリムに装着し、内圧零の状態でドラム試験機上を速度８０ｋｍ／ｈ、縦荷重４．１４ｋＮの条件にて走行させ、タイヤが破壊するまでの走行距離が測定された。評価は、従来例を１００とする指数により表示されており、数値が大きいほどランフラット耐久性に優れることを示す。
【００６６】
＜耐摩耗性能＞
テストタイヤを上記リムにリム組みし、一般道及び高速道路を合計３０００km走行させて、タイヤ周方向溝ｇ１及びｇ２のタイヤ軸方向内、外での摩耗量の差（タイヤ周上６カ所での平均値）をそれぞれ測定し、その和の逆数を、従来例を１００とする指数で表示した。数値が大きいほど均一な摩耗であり、耐摩耗性に優れていることを示す。
【００６７】
＜タイヤ質量＞
タイヤ１本当たりの質量を測定し、従来例を１００とする指数で表示した。数値が小さいほど軽量である。
【００６８】
＜縦バネ定数＞
リム１８×８．５Ｊに装着されたテストタイヤを内圧２３０ｋＰａ及び荷重５ｋＮの条件で平面に接地させ、タイヤの縦たわみ量が測定された。そして、前記荷重５ｋＮを縦たわみ量で除すことにより、近似的に縦バネ定数を得た。結果は、従来例を１００とする指数で表示した。数値が小さいほど縦バネが小さく乗り心地に有利であることを示す。
【００６９】
＜乗り心地＞
排気量４３００ccの国産ＦＲ自動車の４輪に、内圧２３０ｋＰａ及びリム１８×８．５Ｊの条件で装着し、ドライアスファルト路面の段差路、ベルジャン路（石畳の路面）、ビッツマン路（小石を敷き詰めた路面）を走行させた。そして、ドライバーの官能により、ゴツゴツ感、突き上げ及びダンピングを総合評価し、従来例を１００とする評点で表示した。数値が大きいほど良好である。
【００７０】
＜操縦安定性＞
前記車両を用い、ドライアスファルトのタイヤテストコースを走行し、操舵応答性、グリップ感及び旋回時の限界速度などに関して官能評価を行い、従来例を１００とする評点で表示した。数値が大きいほど良好である。
【００７１】
＜タイヤ強度＞
各テストタイヤをリム１８×８．５Ｊにリム組みするとともに、内圧２３０ｋＰａを充填した条件の下で、ＪＩＳ−Ｄ４２３０に準じたプランジャー破壊試験を行った。そのときの破壊エネルギーを、従来例を１００とした指数で比較した。数値が大きいほど優れている。
【００７２】
＜車両片流れ＞
乗り心地テストと同じ条件で各テストタイヤ４本を車両に装着し、１名乗車状態でテストコース内を速度８０km／ｈで１００ｍ手放し走行させ、横流れした距離の逆数を、比較例１を１００とする指数で表した。従って、数値が大きいほど、横流れ量が小さく良好である。
テストの結果などを表１に示す。
【００７３】
【表１】
2009154704.tif 000003
2009154704.tif 000004
テストの結果、実施例のランフラットタイヤは、ランフラット耐久性に優れるとともに、車両片流れを抑制し得ることが確認できた。
【図面の簡単な説明】
【００７４】
【図１】本実施形態のランフラットタイヤの断面図である。
【図２】そのベルト層の展開図である。
【図３】図１のビード部の拡大図である。
【図４】カーカスコードを説明する平面図である。
【図５】（ａ）及び（ｂ）は、他の実施形態のベルト層の展開図である。
【図６】本発明の他の実施形態のランフラットタイヤのトレッド部の拡大断面図である。
【図７】そのベルト層の展開図である。
【図８】タイヤ外面のプロファイルを示す線図である。
【図９】タイヤ外面の各位置におけるＲＹｉの範囲を示す線図である。
【図１０】本実施形態のトレッド部の拡大断面図である。
【符号の説明】
【００７５】
１  ランフラットタイヤ
２  トレッド部
３  サイドウォール部
４  ビード部
５  ビードコア
６  カーカス
６Ａ  カーカスプライ
７  ベルト層
７Ａ    第１のベルトプライ
７Ｂ    第２のベルトプライ
１１      サイドゴム補強層
２０      カーカスコード
２５Ａ  一方側の第１プライ片
２５Ｂ  一方側の第１プライ片
２６Ａ  一方側の第２プライ片
２６Ｂ  一方側の第３プライ片
３０Ａ  第１離間部
３０Ｂ  第２離間部
Ｓ１  タイヤ赤道の一方側
Ｓ２  タイヤ赤道の他方側
【図１】
2009154704.tif 000005
【図２】
2009154704.tif 000006
【図３】
2009154704.tif 000007
【図４】
2009154704.tif 000008
【図５】
2009154704.tif 000009
【図６】
2009154704.tif 000010
【図７】
2009154704.tif 000011
【図８】
2009154704.tif 000012
【図９】
2009154704.tif 000013
【図１０】
2009154704.tif 000014